(57)【要約】【課題】  被検者が側臥状態を容易に維持することを可能とした核医学診断装置用被検者支持装置を提供する。【解決手段】  核医学診断装置用被検者支持装置は、載置部１１上に載置されるシート部材３１と、このシート部材３１の端部に配設される複数の支持部材３２、３３とを備える。この核医学診断装置用被検者支持装置により検査中の被検者を支持するときには、最初に、核医学診断装置における載置部１１上にシート部材３１を載置する。そして、面ファスナーを利用して、シート部材３１上に支持部材３３を固定する。【選択図】        図４
2020091202.tif 000002
【特許請求の範囲】
【請求項１】
内部に検査空間が形成されたリング状の放射線検出部と、前記放射線検出部における検査空間と連通する開口部が形成された被検者の載置部を上面に有する寝台と、を備え、前記被検者の腋窩部を検査可能な核医学診断装置に使用される核医学診断装置用被検者支持装置であって、
前記載置部上に載置されるシート部材と、
前記シート部材の端部に配設され、前記被検者を支持する支持部材と、
を備える核医学診断装置用被検者支持装置。
【請求項２】
請求項１に記載の核医学診断装置用被検者支持装置において、
前記シート部材と前記支持部材とを着脱自在に接続する接続部材を備える核医学診断装置用被検者支持装置。
【請求項３】
請求項２に記載の核医学診断装置用被検者支持装置において、
前記接続部材は、前記シート部材の上面と前記支持部材の下面とに配設された面ファスナーである核医学診断装置用被検者支持装置。
【請求項４】
請求項１から請求項３のいずれかに記載の核医学診断装置用被検者支持装置において、
前記支持部材を複数備え、当該複数の支持部材は重畳して配置される核医学診断装置用被検者支持装置。
【請求項５】
請求項４に記載の核医学診断装置用被検者支持装置において、
前記複数の支持部材を着脱自在に連結する連結手段を備える核医学診断装置用被検者支持装置。
【請求項６】
請求項５に記載の核医学診断装置用被検者支持装置において、
前記複数の支持部材のうちの一つには凹部が形成されるとともに、他の一つには前記凹部と係合する凸部が形成され、前記凹部と前記凸部とを係合することにより前記複数の支持部材を互いに連結する核医学診断装置用被検者支持装置。
【発明の詳細な説明】
【技術分野】
【０００１】
この発明は、核医学診断装置に使用される核医学診断装置用被検者支持装置に関する。
【背景技術】
【０００２】
例えば、被検者の乳房の検査を行う乳房検査用核医学診断装置においては、あらかじめ放射性薬剤を投与した被検者の乳房を、トンネル状の検査空間が形成されたリング状の放射線検出部に挿入し、被検者の乳房から放射される対消滅光子を放射線検出部により検出する。そして、その光子を検出した時刻を測定し、放射線検出部における２個の検出器での検出時刻差が一定時間以内の場合にそれを一対の対消滅光子として計数し、さらに、対消滅発生地点を検出した検出器対の直線上の位置であると特定する。このようにして得たエミッションデータを蓄積し、蓄積したエミッションデータを用いて画像再構成を行なうことによりＰＥＴ画像を取得する。そして取得したＰＥＴ画像をモニターに表示するとともに、病院内のサーバに転送する。
【０００３】
このような乳房検査用核医学診断装置においては、被検者の乳房に対して放射線検出部を位置決めする方法として、被検者を寝台または椅子等において一定の位置に固定した後、放射線検出部を被検者に対して近接させて位置決めする方法と、放射線検出部を固定しておき、その放射線検出部に対して被検者の乳房を挿入して位置決めする方法の二種類の方法がある。
【０００４】
特許文献１においては、被検者の乳房を挿入する挿入口が形成されたテーブルトップ上に被検者を載置し、被検者の乳房を、挿入口を介して垂れ下がった状態とすることにより、Ｘ線撮像機器に近接させて位置決めする医療処置を行うためのテーブルが開示されている。この特許文献１に記載されたテーブルにおいては、被検者の乳房の大きさに基づき、より大きな、または、より小さな直径の挿入口を有する代替的なインサートを選択して使用する構成となっている。
【０００５】
また、特許文献２においては、被検者の乳房と腋窩部を検査することができる乳房専用核医学診断装置が開示されている。この特許文献２に記載された核医学診断装置においては、座位状態の被検者Ｍの乳房を撮像する環状（リング状）の検出器ユニットと、この検出器ユニットに挿入された腕を支える腕置台とを備えている。この核医学診断装置における検出器ユニットは、乳房に近い方の腕が挿入可能な腕側にある肩部から乳房の付け根までおよぶ内径の孔を有している。
【先行技術文献】
【特許文献】
【０００６】
【特許文献１】特開２０１６−１８５３４９号公報
【特許文献２】特開２０１５−９４６９７号公報
【発明の概要】
【発明が解決しようとする課題】
【０００７】
特許文献２に記載されたように、被検者を座位状態で検査した場合には、検査には最大１０分程度の時間を要することから、被検者が同じ姿勢を維持するために苦痛を感じるという問題がある。このため、特許文献１に記載されたように、臥位状態となった被検者に対してその乳房と腋窩部を検査し得る構成とすることが好ましい。しかしながら、このような構成の核医学診断装置は実現されていない。
【０００８】
これに対して、特許文献１に記載されたように載置部上に臥位状態で載置した被検者に対して乳房と腋窩部の検査を実行することを可能とするために、被検者の乳房と腋窩部とを配置可能な大きさの検査空間を有する放射線検出部を採用するとともに、この放射線検出部の下方に、被検者の腕部を収納することが可能な空間を形成した構成を採用することが考えられる。このような構成を採用した場合においては、被検者は臥位状態で検査を受けることができ、被検者の負担が小さなものとなる。
【０００９】
このような核医学診断装置を使用して乳房と腋窩部との検査を行うためには、被検者は放射線検出部における腕部の挿入口を介して内部空間に腕部を挿入するために、横を向いた側臥状態を維持する必要がある。上述したように、検査には最大１０分程度の時間を要することから、被検者が身体を動かすことなく側臥状態を維持することは、極めて困難であり、また、被検者にとって苦痛である。
【００１０】
この発明は上記課題を解決するためになされたものであり、被検者が側臥状態を容易に維持することを可能とした核医学診断装置用被検者支持装置を提供することを目的とする。
【課題を解決するための手段】
【００１１】
請求項１に記載の発明は、内部に検査空間が形成されたリング状の放射線検出部と、前記放射線検出部における検査空間と連通する開口部が形成された被検者の載置部を上面に有する寝台と、を備え、前記被検者の腋窩部を検査可能な核医学診断装置に使用される核医学診断装置用被検者支持装置であって、前記載置部上に載置されるシート部材と、前記シート部材の端部に配設され、前記被検者を支持する支持部材と、を備える。
【００１２】
請求項２に記載の発明は、請求項１に記載の発明において、前記シート部材と前記支持部材とを着脱自在に接続する接続部材を備える。
【００１３】
請求項３に記載の発明は、請求項２に記載の発明において、前記接続部材は、前記シート部材の上面と前記支持部材の下面とに配設された面ファスナーである。
【００１４】
請求項４に記載の発明は、請求項１から請求項３のいずれかに記載の発明において、前記支持部材を複数備え、当該複数の支持部材は重畳して配置される。
【００１５】
請求項５に記載の発明は、請求項４に記載の発明において、前記複数の支持部材を着脱自在に連結する連結手段を備える。
【００１６】
請求項６に記載の発明は、請求項５に記載の発明において、前記複数の支持部材のうちの一つには凹部が形成されるとともに、他の一つには前記凹部と係合する凸部が形成され、前記凹部と前記凸部とを係合することにより前記複数の支持部材を互いに連結する。
【発明の効果】
【００１７】
請求項１に記載の発明によれば、被検者の身体により載置部上のシート部材が固定され、このシート部材の端部に配設された支持部材により被検者を支持することが可能となる。このため、支持部材により支持された被検者は、苦痛を感じることなく、容易に側臥状態を維持することを可能となる。
【００１８】
請求項２および請求項３に記載の発明によれば、支持部材を選択的に使用し、あるいは、シート部材に対する支持部材の装着位置を変更することが可能となる。
【００１９】
請求項４に記載の発明によれば、被検者の体格等に応じて使用する支持部材の数を選択することが可能となる。
【００２０】
請求項５および請求項６に記載の発明によれば、凹部と凸部の係合等の連結手段を利用して、複数の支持部材を容易に連結することが可能となる。
【図面の簡単な説明】
【００２１】
【図１】この発明の実施形態に係る核医学診断装置用被検者支持装置を適用する核医学診断装置の斜視図である。
【図２】核医学診断装置により被検者Ｍの検査を実行する様子を示す側面概要図である。
【図３】核医学診断装置における載置部１１上にこの発明の実施形態に係る核医学診断装置用被検者支持装置におけるシート部材３１を載置した状態を示す斜視図である。
【図４】核医学診断装置における載置部１１上にこの発明の実施形態に係る核医学診断装置用被検者支持装置におけるシート部材３１と複数の支持部材３２、３３とを載置した状態を示す斜視図である。
【図５】複数の支持部材３２、３３の斜視図である。
【図６】支持部材３３の下面図である。
【図７】シート部材３１と支持部材３２、３３との係合状態を示す部分断面図である。
【図８】シート部材３１と支持部材３２、３３との係合状態を示す部分断面図である。
【発明を実施するための形態】
【００２２】
以下、この発明の実施の形態を図面に基づいて説明する。図１は、この発明の実施形態に係る核医学診断装置用被検者支持装置を適用する核医学診断装置の斜視図である。また、図２は、この核医学診断装置により被検者Ｍの検査を実行する様子を示す側面概要図である。
【００２３】
この発明を適用する核医学診断装置は、特に、被検者の乳房とともに、被検者の腋窩部を検査可能なものである。この核医学診断装置は、例えば、マンモ用ＰＥＴ（Ｐｏｓｉｔｒｏｎ  Ｅｍｉｓｓｉｏｎ  Ｔｏｍｏｇｒａｐｈｙ）装置とも呼称されるものであり、その上部に被検者Ｍを載置するための載置部１１を配置した寝台１４を備える。載置部１１には、被検者Ｍの頭部が配置される凹部１３と、被検者Ｍの乳房および腋窩部を挿入するための挿入口１２とが形成されている。また、寝台１４における載置部１１の下方で本体カバー１６の内部には、被検者Ｍの腕部を収納可能な大きさを有する空間２０が形成されている。被検者Ｍが載置部１１上において腹臥位となった状態において、載置部１１の挿入口１２から空間２０に向けて挿入された被検者Ｍの乳房および腋窩部の周囲には、環状に配置された放射線検出部１５が配設される。
【００２４】
この核医学診断装置は、被検者Ｍの乳房および腋窩部を検査するためのものである。この核医学診断装置においては、あらかじめ放射性薬剤を投与した被検者Ｍの乳房および腋窩部を、挿入口１２からトンネル状の検査空間が形成されたリング状の放射線検出部１５に挿入し、被検者Ｍから放射される５１１ｋｅＶの対消滅光子を放射線検出部１５により検出する。そして、その光子を検出した時刻を測定し、放射線検出部１５における２個の検出器での検出時刻差が一定時間以内の場合にそれを一対の対消滅光子として計数し、さらに、対消滅発生地点を検出した検出器対の直線上の位置であると特定する。このようにして得たエミッションデータをコンソール６に蓄積し、コンソール６において蓄積したエミッションデータを用いて画像再構成を行なうことによりＰＥＴ画像を取得する。そして取得したＰＥＴ画像を表示部７に表示するとともに、病院内ネットワーク８を介して病院内のサーバに転送する。
【００２５】
このとき、被検者Ｍの乳房および腋窩部は、放射線検出部１５における放射線の検出範囲１９内に配置される必要がある。これを可能とするため、放射線検出部１５により形成される放射線の検出範囲１９が、被検者Ｍの乳房と腋窩部とを配置可能な大きさを有するように、放射線検出部１５のサイズが決定されている。
【００２６】
被検者Ｍの乳房および腋窩部を検査するときには、図２に示すように、寝台１４における載置部１１の下方で本体カバー１６の内部に形成された空間２０に、被検者Ｍの腕部が収納される。このとき、核医学診断装置による検査は、１０分程度の時間を要する場合がある。このため、空間２０内には、被検者Ｍの腕部を支持するための腕部支持部材２２が配設される。
【００２７】
この腕部支持部材２２は、スポンジ等の柔軟な材料を合成皮革等により包囲した構成を有する。この腕部支持部材２２の大きさや形状は、被検者Ｍの体格や、検査時の被検者Ｍの姿勢等に応じて変更される。なお、必要に応じ、複数の腕部支持部材２２を使用して被検者Ｍの腕部を支持するようにしてもよい。
【００２８】
この核医学診断装置においては、寝台１４における本体カバー１６の側面に、被検者Ｍの腕部を収納可能な空間２０に連通する開口部２１が形成されている。この開口部２１は、寝台１４の載置部１１上の被検者Ｍの側方となる本体カバー１６の側面の両側に形成されている。
【００２９】
被検者Ｍの乳房および腋窩部を検査するときには、被検者Ｍは、図２に示すように、載置部１１に形成された挿入口１２から本体カバー１６の内部に形成された空間２０に腕を挿入する必要がある。この時、空間２０が閉鎖されたものであれば、被検者Ｍが挿入口１２を介して空間２０に腕部を挿入するときに、空間２０の形状等を認識できないことから、不安を感じる。しかしながら、この核医学診断装置においては、被検者Ｍの腕部を収納する空間２０に連通する開口部２１が形成されていることから、被検者Ｍは空間２０がどのようなものであるか認識することができ、被検者Ｍがこのような不安を感じることはない。
【００３０】
また、検査中において、挿入口１２から空間２０内に、検査に使用する物品が落下し、あるいは、被検者Ｍの嘔吐物が落下することがある。このような場合においても、空間２０に連通する開口部２１を利用することにより、落下物を容易に除去することが可能となる。
【００３１】
さらに、核医学診断装置による検査中には、被検者Ｍの疲労を軽減し、被検者Ｍの検査部位が移動することを防止するため、空間２０内に被検者Ｍの腕部を支持するための腕部支持部材２２が配設される。この腕部支持部材２２の大きさや形状は、被検者Ｍの体格等に応じて変更する必要がある。このような場合においても、空間２０に連通する開口部２１を利用することにより、被検者Ｍに対応した腕部支持部材２２を空間２０内に設置し、あるいは、被検者Ｍの体格等に対応して、腕部支持部材２２の形状、大きさ、数量等を変更することが可能となる。
【００３２】
以上のような構成を有する核医学診断装置を使用して被検者Ｍの検査を行うときには、被検者Ｍは挿入口１２を介して空間２０に腕部を挿入するために、横を向いた側臥状態を維持する必要があり、検査終了まで身体を動かすことなく側臥状態を維持することが困難かつ苦痛となる。このため、この発明に係る核医学診断装置用被検者支持装置が使用される。
【００３３】
以下、この発明の実施形態に係る核医学診断装置用被検者支持装置の構成について説明する。図３は、核医学診断装置における載置部１１上にこの発明の実施形態に係る核医学診断装置用被検者支持装置におけるシート部材３１を載置した状態を示す斜視図である。図４は、核医学診断装置における載置部１１上にこの発明の実施形態に係る核医学診断装置用被検者支持装置におけるシート部材３１と複数の支持部材３２、３３とを載置した状態を示す斜視図である。図５は、複数の支持部材３２、３３の斜視図である。図６は、支持部材３３の下面図である。図７および図８は、シート部材３１と支持部材３２、３３との係合状態を示す部分断面図である。
【００３４】
図４、図７および図８に示すように、この発明の実施形態に係る核医学診断装置用被検者支持装置は、核医学診断装置における載置部１１上に載置されるシート部材３１と、このシート部材３１の端部に配設される複数の支持部材３２、３３とを備える。図３に示すように、シート部材３１の表面には、接続部材としての面ファスナー４１が配設されている。また、図６に示すように、支持部材３３の下面には、接続部材としての面ファスナー４２が配設されている。また、支持部材３３には孔部３４が形成されており、支持部材３２には、支持部材３３に形成された孔部３４と係合可能な凸部３５が形成されている。
【００３５】
この核医学診断装置用被検者支持装置により検査中の被検者Ｍを支持するときには、最初に、図３に示すように、核医学診断装置における載置部１１上にシート部材３１を載置する。そして、図４に示すように、面ファスナー４１、４２を利用して、シート部材３１上に支持部材３３を固定する。この固定時には、面ファスナー４１、４２の作用により、支持部材３３の固定位置を微調整することが可能となる。しかる後、必要に応じて、支持部材３３に対して支持部材３２を係合させる。
【００３６】
これにより、図４に示すように、核医学診断装置における載置部１１上に被検者支持装置が構成される。検査時においては、シート部材３１上に側臥した被検者Ｍによりシート部材３１が固定される。そして、側臥状態の被検者Ｍを、複数の支持部材３２、３３により支持することができる。これにより、被検者Ｍは、苦痛を感じることなく、容易に側臥状態を維持することを可能となる。このとき、被検者Ｍの体格や姿勢に対応して、支持部材３３だけではなく支持部材３２を選択的に使用し、あるいは、シート部材３１に対する支持部材３３の装着位置を変更することにより、被検者Ｍはより容易に側臥状態を維持することが可能となる。
【００３７】
このとき、支持部材３２の下面に形成された凸部３５は、支持部材３２の長手方向と直交する方向において、非対称形状となっている。このため、図７または図８に示すように、支持部材３３に対する支持部材３２の係合方向を変更することにより、互いに係合された支持部材３２、３３の外観形状を変更することが可能となる。このため、被検者Ｍの体格や姿勢に応じて、支持部材３２、３３の外形を変更することにより、被検者Ｍ毎に最適の状態で被検者Ｍを支持することが可能となる。
【００３８】
なお、上述した実施形態においては、シート部材３１と支持部材３３とを、面ファスナー４１、４２により着脱自在に接続しているが、ボタン等の、その他の接続機構を利用することにより、シート部材３１と支持部材３３とを着脱自在に接続してもよい。
【００３９】
また、上述した実施形態においては、支持部材３３には孔部３４が形成されるとともに支持部材３２には孔部３４と係合する凸３５部が形成され、孔部３４と凸部３５とを係合することにより複数の支持部材３２、３３を互いに連結する構成を採用している。しかしながら、支持部材３２と支持部材３３とを面ファスナー等の連結手段により着脱自在に連結してもよい。また、支持部材３２と支持部材３３との接触面に、ゴムシート等の摩擦係数の大きい軟質部剤を配設することにより、支持部材３２と支持部材３３とが滑ることを防止しながら、一方を他方に対して任意の位置に配置して、被検者Ｍを指示することが可能となる。
【００４０】
さらに、上述した実施形態においては、被検者Ｍの乳房および腋窩部を検査するための核医学診断装置にこの発明の実施形態に係る核医学診断装置用被検者支持装置を適用しているが、被検者Ｍの乳房および腋窩部の他に、例えば、被検者Ｍの頭部等、被検者Ｍのその他の部位をも検査可能な核医学診断装置にこの発明の実施形態に係る核医学診断装置用被検者支持装置を適用してもよい。
【符号の説明】
【００４１】
１１    載置部
１２    挿入口
１３    凹部
１４    寝台
１５    放射線検出部
１６    本体カバー
１９    放射線の検出範囲
２０    空間
２１    開口部
２２    腕部支持部材
３１    シート部材
３２    支持部材
３３    支持部材
３４    孔部
３５    凸部
４１    面ファスナー
４２    面ファスナー
Ｍ      被検者
【図１】
2020091202.tif 000003
【図２】
2020091202.tif 000004
【図３】
2020091202.tif 000005
【図４】
2020091202.tif 000006
【図５】
2020091202.tif 000007
【図６】
2020091202.tif 000008
【図７】
2020091202.tif 000009
【図８】
2020091202.tif 000010